(57)【特許請求の範囲】
【請求項１】
ストライカと係合可能なラッチと、該ラッチと係合してその回動を阻止するロッキングプレートとを有するロック本体と、正逆回転可能なモータと、このモータの正転により、前記ラッチとロッキングプレートとの係合を解除させ、前記モータの逆転により、前記ラッチをハーフラッチ位置からフルラッチ位置まで移動させるようにした出力機構とを備える車両用ロックのオープン及びクローズ装置において、
前記出力機構が、前記モータの正逆回転により、中立位置から正逆２方向に回動させられるようにした回動部材と、
該回動部材に連係されることにより、中立位置から一方向への回動により、前記ラッチとロッキングプレートとの係合を解除させ、同じく他方向への回動により、前記ラッチをハーフラッチ位置からフルラッチ位置まで移動させるように、前記ロッキングプレート及びラッチに連係されたクローズレバーと、
前記回動部材とクローズレバーとの間に配設され、かつ前記回動部材とクローズレバーとを連係する接続位置と、前記連係を断つキャンセル位置とに移動可能な断続部材と、
端部に操作部を有し、かつ前記断続部材を、接続位置に保持可能な接続位置とキャンセル位置に保持可能なキャンセル位置とに移動可能なキャンセルレバーとを備え、
前記回動部材と前記クローズレバーとを、前記ロック本体に設けたベースプレートに、同一の軸をもって枢着したことを特徴とする、車両用ロックのオープン及びクローズ装置。
ることを特徴とする、車両用ロックのオープン及びクローズ装置。
【請求項２】
回動部材に、円弧状の長孔及び該長孔のほぼ中央から離心方向に延出した係合孔を設け、クローズレバーに、前記長孔の一部及び係合孔に重合するように離心方向に延出した切換孔を設け、断続部材を、前記長孔及び係合孔、並びに切換孔に摺動可能に係合して、前記係合孔に係合した接続位置と、前記係合孔から離脱したキャンセル位置に移動可能にした、請求項１記載の車両用ロックのオープン及びクローズ装置。
【請求項３】
クローズレバーとロッキングプレートを、ベースプレートに枢着されたオープンレバーをもって連係するとともに、キャンセルレバーと前記オープンレバーとを、連結部材をもって連結し、前記キャンセルレバーの接続位置からキャンセル位置への移動により、前記オープンレバーを介して、前記ラッチとロッキングプレートとの係合を解除させるようにした、請求項１または２記載の車両用ロックのオープン及びクローズ装置。
【発明の詳細な説明】
【０００１】
【発明の属する技術分野】
本発明は、車両用開閉体のロック装置を、モータ駆動によって、ハーフラッチ状態からフルラッチ状態に強制的に移行させるクローズ機能と、ストライカとの係合を解除するオープン機能とを備えた車両用ロックのオープン及びクローズ装置に関する。
【０００２】
【従来の技術】
上述のような装置において、ストライカに係脱可能なラッチ、及びラッチに係脱可能なロッキングプレートを備えるロック本体と、モータ駆動により、中立位置から２方向に回動可能な回動部材を有する出力機構とを備え、回動部材の中立位置から一方向への回動により、ラッチとロッキングプレートとの係合を解除し、また、同じく他方向への回動により、ラッチをハーフラッチ位置からフルラッチ位置まで移動させるようにしたものは公知である(例えば、特公平５−２７７４８号公報参照)。
【０００３】
【発明が解決しようとする課題】
しかし、上述のような従来の装置においては、出力機構の作動中に、モータまたは電気系統等に故障が発生して、回動部材が中立位置以外の位置に停止したとき、回動部材に連結されたラッチ及びロッキングプレートの動きが拘束されるため、ロック本体における開閉体を開けるための作動、及びドアを閉じるための作動が不能になり、開閉体を開閉することができなくなるおそれがある。
【０００４】
本発明は、従来の技術が有する上記のような問題点に鑑み、回動部材が中立位置以外の位置に停止した状態で、何らかの故障が発生した場合でも、ロック本体の操作を行いうるようにした、車両用ロックのオープン及びクローズ装置を提供することを目的としている。
【０００５】
【課題を解決するための手段】
本発明によると、上記課題は、次のようにして解決される。
(１) ストライカと係合可能なラッチと、該ラッチと係合してその回動を阻止するロッキングプレートとを有するロック本体と、正逆回転可能なモータと、このモータの正転により、前記ラッチとロッキングプレートとの係合を解除させ、前記モータの逆転により、前記ラッチをハーフラッチ位置からフルラッチ位置まで移動させるようにした出力機構とを備える車両用ロックのオープン及びクローズ装置において、前記出力機構が、前記モータの正逆回転により、中立位置から正逆２方向に回動させられるようにした回動部材と、該回動部材に連係されることにより、中立位置から一方向への回動により、前記ラッチとロッキングプレートとの係合を解除させ、同じく他方向への回動により、前記ラッチをハーフラッチ位置からフルラッチ位置まで移動させるように、前記ロッキングプレート及びラッチに連係されたクローズレバーと、前記回動部材とクローズレバーとの間に配設され、かつ前記回動部材とクローズレバーとを連係する接続位置と、前記連係を断つキャンセル位置とに移動可能な断続部材と、端部に操作部を有し、かつ前記断続部材を、接続位置に保持可能な接続位置とキャンセル位置に保持可能なキャンセル位置とに移動可能なキャンセルレバーとを備え、前記回動部材と前記クローズレバーとを、前記ロック本体に設けたベースプレートに、同一の軸をもって枢着する。
【０００７】
(２) 上記(１)項において、回動部材に、円弧状の長孔及び該長孔のほぼ中央から離心方向に延出した係合孔を設け、クローズレバーに、前記長孔の一部及び係合孔に重合するように離心方向に延出した切換孔を設け、断続部材を、前記長孔及び係合孔、並びに切換孔に摺動可能に係合して、前記係合孔に係合した接続位置と、前記係合孔から離脱したキャンセル位置に移動可能にする。
【０００８】
(３) 上記(１)または(２)項において、クローズレバーとロッキングプレートを、ベースプレートに枢着されたオープンレバーをもって連係するとともに、キャンセルレバーと前記オープンレバーとを、連結部材をもって連結し、前記キャンセルレバーの接続位置からキャンセル位置への移動により、前記オープンレバーを介して、前記ラッチとロッキングプレートとの係合を解除させるようにする。
【０００９】
【発明の実施の形態】
以下、本発明の一実施形態を、図面に基づいて説明する。
(１)は、車両のボディ後部に、上下方向に開閉しうるように、上端が左右方向を向くヒンジ軸(図示略)をもって枢着されたバックドア(図示略)に固定されるロック本体で、車体側に固着されるストライカ(５)と係合することにより、バックドアを閉止状態にロックするものである。
【００１０】
(２)は、モータ(３)により、ロック本体(１)を、強制的にハーフラッチ状態からフルラッチ状態とするクロージャー機能と、ロック本体(１)とストライカ(５)との係合を解除するオープン機能と、クロージャー機能をキャンセルするキャンセル機能とを備えた出力機構である。
【００１１】
ロック本体(１)におけるボディ(４)の内部には、車体側に固着されたストライカ(５)に係脱可能なラッチ(６)と、ラッチ(６)の爪部(6a)(6b)に係脱可能なロッキングプレート(７)とが、それぞれ上下方向を向くラッチ軸(８)及びロッキングプレート軸(９)をもって枢着されている。
【００１２】
ラッチ(６)は、図９に示すように、ストライカ(５)と完全に係合したフルラッチ位置と、図10に示すように、ストライカ(５)と辛うじて係合したハーフラッチ位置と、図11に示すように、ストライカ(５)と離脱したオープン位置とに移動することができる。
【００１３】
ロッキングプレート(７)は、ばね(図示略)をもって図９において反時計方向に付勢され、かつ、フルラッチ状態のとき、爪部(6a)に係合し、また、ハーフラッチ状態のとき、爪部(6b)に係合することによって、ラッチ(６)のオープン方向への回動を阻止するとともに、図12に示すように、各爪部(6a)(6b)から離脱したオープン位置に移動可能である。
【００１４】
ボディ(４)に固着されたベースプレート(10)は、ボディ(４)の上面を覆うほぼ水平なカバー部(11)と、カバー部(11)の後部(図１において左斜め上部)からほぼ垂直に起立するベース部(12)とを有している。
【００１５】
カバー部(11)上には、ラッチ(６)と一体となって回動するようにラッチ軸(８)に止着され、かつ遊端部に上方に向かって突出する係合ピン(13a)が固着されたラッチ(６)の一部をなすカムレバー(13)と、カムレバー(13)の外周に形成されたカム部(13b)を検出して、ラッチ(６)のハーフラッチ位置を検出するハーフラッチ検出スイッチ(14)と、フルラッチ位置を検出するフルラッチ検出スイッチ(15)とが配設されている。
【００１６】
モータ(３)は、ベース部(12)の上部後面に、複数のボルト(16)及びナット(17)をもって固定され、かつモータケース(3a)に内蔵された減速機構(図示略)を介して、正逆回転可能なギヤ(18)を有している。
【００１７】
出力機構(２)は、ベース部(12)の前面に、前後方向を向く軸(19)をもって枢着され、かつギヤ(18)に噛合する歯部(20a)を有する回動部材をなすセクタギヤ(20)と、ベース部(12)の前面にセクタギヤ(20)と同軸(19)をもって枢着されたクローズレバー(21)と、ベース部(12)の前面に軸(22)をもって枢着されたキャンセルレバー(23)と、ベース部(12)の後面に軸(24)をもって枢着されたオープンレバー(25)とを備えている。
【００１８】
軸(19)は、図３に示すように、正面から見て、ラッチ軸(８)の軸線(8a)上に配置され、また、軸(24)は、ロッキングプレート軸(９)の軸線(9a)上に配置されていて、軸(19)と軸(24)との左右方向の軸間距離が、ラッチ軸(８)とロッキングプレート軸(９)との軸間距離(Ｌ)とほぼ等しくなるように設定されている。
【００１９】
なお、クローズレバー(21)は、ラッチ(6)をハーフラッチ位置からフルラッチ位置まで、大きな力で移動させる必要があるため、大きな力に耐えうるように、厚肉の材料によって形成されるのに対し、オープンレバー(25)は、大きな力を要しないで移動させうるロッキングプレート(７)を動かすものであるから、クローズレバー(21)に比較して、薄肉の材料によって形成されている。
【００２０】
ベース部(12)には、軸(19)を中心とし、かつ上下方向を向く円弧状の長孔(12a)と、長孔(12a)のほぼ中央からベース部(12)の後方に向けて切り起こされたストッパ(12b)とが形成され、その後面には、セクタギヤ(20)の後述する中立位置を検出する中立検出スイッチ(26)が、また同じく前面には、オープンレバー(25)の後述するオープン位置を検出するオープン検出スイッチ(27)が、それぞれ設けられている。
【００２１】
モータ(３)は、バックドアのアウターパネルに設けられたハンドルスイッチ(図示略)の操作、及びフルラッチ検出スイッチ(15)の作動により正転制御され、ハーフラッチ検出スイッチ(14)の作動により逆転制御され、さらに、中立検出スイッチ(26)の作動により停止制御されるようになっている。
【００２２】
セクタギヤ(20)は、歯部(20a)の端末に突設された突出部(20b)と、軸(19)を中心とする円弧状をなす左右方向を向く長孔(20c)と、長孔(20c)の長手方向のほぼ中央から離心方向に延出する係合孔(20d)とを有し、常時は、図２及び図４に示すように、中立検出スイッチ(26)が突出部(20b)に当接して作動させられた中立位置に停止しており、この中立位置から、モータ(３)の正転及び逆転によって、オープン方向(図２において反時計方向、図４において時計方向)及びクローズ方向(図２において時計方向、図４において反時計方向)の２方向に回動しうるようになっている。
【００２３】
クローズレバー(21)は、上方に向かって延出し、かつセクタギヤ(20)の長孔(20c)の一部、及び係合孔(20d)に重合可能な切換孔(28a)が穿設されたアーム部(28)と、ベース部(12)を挟んでオープンレバー(25)に重合するように側方に向かって延出し、かつ先端部に、ベース部(12)の長孔(12a)を貫通して後方に突出するピン(29a)が突設されたオープンアーム部(29)と、ボディ(４)に向かって斜め下方に延出するクローズ部(30)とを有しており、常時は、セクタギヤ(20)と一体となって、中立位置から２方向に回動しうるようになっている。
【００２４】
クローズ部(30)は、クローズレバー(21)が中立位置からクローズ方向に回動することによって、係合ピン(13a)に係合して、ラッチ(６)をハーフラッチ位置からフルラッチ位置に移動させうるように、カムレバー(13)を回動させる。
【００２５】
セクタギヤ(20)とクローズレバー(21)のアーム部(28)との間には、長孔(20c)及び係合孔(20d)、並びに切換孔(28a)に摺動可能に嵌合した鍔付きピン状の断続部材(31)が設けられている。
【００２６】
断続部材(31)は、セクタギヤ(20)の係合孔(20d)に係脱可能であって、図２及び図４に示すように、切換孔(28a)の上部に位置し、かつ係合孔(20d)に係合した接続位置にあるときは、セクタギヤ(20)の回動に伴って、クローズレバー(21)も一体になって回動しうるように両者を接続し、また、図８に示すように、切換孔(28a)の下部に位置し、かつ係合孔(20d)から離脱して長孔(20c)に移動したキャンセル位置にあるときは、長孔(20c)に沿って中央から左右いずれの方向にも摺動可能となって、セクタギヤ(20)とクローズレバー(21)とがそれぞれ独立して回動しうるように、それらの接続を断つ。
【００２７】
キャンセルレバー(23)は、軸(19)を中心とする円弧状をなし、かつ長孔(20c)及び係合孔(20d)、並びに切換孔(28a)に重合して、断続部材(31)が摺動可能に嵌合する案内孔(32a)が穿設された湾曲するアーム部(32)と、上方に延出する操作部(33)とを有しており、断続部材(31)を接続位置に保持する接続位置と、断続部材(31)をキャンセル位置に保持するキャンセル位置とに移動可能であり、常時は、ばね(37)により接続位置に保持されている。
【００２８】
操作部(33)は、バックドアのインナパネル側のトリムの一部を外すことにより、外部から操作可能な位置に設けられる。
【００２９】
オープンレバー(25)は、ベース部(12)の案内溝(12a)と交差するようにほぼ上向きに延出し、かつクローズレバー(21)がオープン方向に回動したとき、ピン(29a)に係合可能な係合アーム(34)と、ボディ(４)に向けて下方に延出し、かつロッキングプレート(７)の突起部(7a)に当接可能なオープン部(35)と、図３において右方に延出して、オープン検出スイッチ(27)に接触可能な検知アーム部(36)とを有し、係合アーム(34)がストッパ(12b)に当接した待機位置から、ロッキングプレート(７)をオープン方向に回動させるオープン方向(図２において反時計方向、図３において時計方向)に回動可能であり、常時は、ばね(38)により待機位置に向かって付勢されている。
【００３０】
オープン部(35)は、オープンレバー(25)がオープン方向に回動することにより、ロッキングプレート(７)の突起部(7a)に当接して、ロッキングプレート(７)をオープン位置に移動させる。
【００３１】
クローズレバー(21)が中立位置からオープン方向に回動することにより、ピン(29a)が係合アーム(34)に摺接して、オープンレバー(25)を、待機位置からオープン方向に回動させ、かつ、図６に示すように、オープンレバー(25)がオープン位置に移動した後は、係合アーム(34)がピン(29a)の移動軌跡から外れて、ピン(29a)が係合アーム(34)の外縁(34a)に沿って摺動することにより、オープンレバー(25)をオープン位置に保持した状態で、クローズレバー(21)のオープン方向への空動を許容するようになっている。
【００３２】
なお、オープンレバー(25)における係合アーム(34)の外縁(34a)は、オープンレバー(25)がオープン位置に移動したとき、軸(19)を中心とするように円弧状に形成されている。このようにしたことにより、クローズレバー(21)が空動する間、オープンレバー(25)を確実にオープン位置に保持することができる。
【００３３】
したがって、オープン検出スイッチ(27)の検出によりモータ(３)が停止した直後、クローズレバー(21)が種々の慣性力によりオープン位置を超過しても、オープンレバー(25)に対して超過した後の動きが伝達されないので、オープンレバー(25)の変形や損傷を防止できる。
【００３４】
次に、図４〜図12を参照して、上述の実施形態の各機能について説明する。
（オープン機能）
バックドアが閉止位置にあるときは、出力機構(２)は、図４に示すように、セクタギヤ(20)及びクローズレバー(21)が中立位置にあり、かつ、断続部材(31)が接続位置に保持されて、セクタギヤ(20)とクローズレバー(21)とが接続されている。ロック本体(１)は、図９に示すように、ラッチ(6)がフルラッチ位置にあり、ロッキングプレート(７)が爪部(6a)に係合している。
【００３５】
この状態において、バックドアのハンドルスイッチを操作すると、モータ(３)が正転して、セクタギヤ(20)及びクローズレバー(21)が中立位置からオープン方向に回動することにより、図５に示すように、断続部材(31)は、案内孔(32a)の右方に移動し、ピン(29a)は、オープンレバー(25)の係合アーム(34)を押動して、図５に示す状態を経て、オープンレバー(25)を図６に示すオープン位置に移動させる。
【００３６】
オープンレバー(25)がオープン位置に移動すると、係合アーム(34)がピン(29a)の移動軌跡から外れて、オープンレバー(24)は、それ以上回動することなく、その位置に保持され、かつオープン部(35)は、ロッキングプレート(７)の突起部(7a)に係合して、ロッキングプレート(７)をオープン位置に移動させることにより、バックドアを開くことができる。
【００３７】
オープン検出スイッチ(27)が検知アーム部(36)を検出すると、モータ(３)が逆転制御され、セクタギヤ(20)及びクローズレバー(21)は、オープン位置から中立位置に復帰して、図４に示すように、中立検出スイッチ(26)が突出部(20b)を検出することにより、モータ(３)への給電が停止され、オープンレバー(25)は、ばね(38)の付勢力により待機位置に復帰する。
【００３８】
（クローズ機能）
バックドアが開放状態にあるとき、ロック本体(１)及び出力機構(２)は、図11及び図４にそれぞれ示す状態にある。
この状態からバックドアを閉じると、ラッチ(６)は、ストライカ(５)に係合して、オープン位置から図10に示すハーフラッチ位置に移動する。
【００３９】
ハーフラッチ検出スイッチ(14)が、カムレバー(13)を介して、ラッチ(６)がハーフラッチ位置に達したことを検出すると、モータ(３)が逆転制御され、図７に示すように、セクタギヤ(20)及びクローズレバー(21)がクローズ方向に回動するとともに、断続部材(31)が案内孔(32a)の左方に移動する。
【００４０】
クローズレバー(21)がクローズ方向に移動すると、クローズ部(30)がカムレバー(13)の係合ピン(13a)に係合して、ラッチ(６)をハーフラッチ位置からフルラッチ位置まで強制的に移動させることにより、バックドアは、半ドア状態から全閉位置に引き込まれる。
【００４１】
フルラッチ検出スイッチ(15)が、カムレバー(13)のカム部(13b)を介してラッチ(6)のフルラッチ位置を検出すると、モータ(３)は正転制御され、セクタギヤ(20)及びクローズレバー(21)は、中立位置に復帰する。
【００４２】
（キャンセル機能）
セクタギヤ(20)及びクローズレバー(21)のクローズ動作中に、例えば、モータ(３)または制御回路等の故障によりモータ(３)の回転が停止して、図８に示すように、セクタギヤ(20)がクローズ位置に停止した場合には、クローズ部(30)がカムレバー(13)の係合ピン(13a)に係合して、ラッチ(６)のオープン位置方向への移動を阻止して、その後のバックドアの開扉操作が不能になるおそれがある。このような場合には、キャンセルレバー(23)を接続位置からキャンセル位置に移動させることにより、開扉操作を回復することができる。
【００４３】
すなわち、キャンセルレバー(23)がキャンセル位置に移動すると、断続部材(31)はキャンセル位置に移動して、セクタギヤ(20)とクローズレバー(21)との接続が切断される。この状態で、クローズレバー(21)を中立位置に復帰させると、ラッチ(６)のオープン位置への移動が可能になる。その後、車両の適所に別途配設された操作手段(図示略)を操作して、ロッキングプレート(７)をオープン位置に移動させることによって、バックドアを開扉することができる。
【００４４】
また、クローズレバー(21)がオープン位置にあるときに、上述と同様の原因によりモータ(３)の回転が停止した場合は、オープンレバー(25)を介してロッキングプレート(７)がオープン位置に拘束され、バックドアの閉扉が不能になるおそれがあるが、この場合においても、キャンセルレバー(23)をキャンセル位置に移動させた状態で、クローズレバー(21)を中立位置に復帰させることによって、ロッキングプレート(７)の拘束が解かれ、バックドアを閉じることができる。
【００４５】
図13は、本発明における他の実施形態を示す。
キャンセルレバー(23)は、下方に延出したアーム部(23a)を有し、このアーム部(23a)に一端を連結したほぼ左右方向を向くロッド(39)の他端を、オープンレバー(25)に形成した長孔(25a)に摺動自在に係合することによって、キャンセルレバー(23)を実線で示す接続位置から想像線で示すキャンセル位置へ移動させることにより、オープンレバー(25)がオープン位置に移動させられるようにしてある。
【００４６】
なお、オープンレバー(25)の長孔(25a)に係合されたロッド(39)の端部(39a)は、クローズレバー(21)によりオープンレバー(25)がオープン方向に回動させられたとき、長孔(25a)内を空動することにより、オープンレバー(25)の動きがキャンセルレバー(23)に伝達されないようになっている。
【００４７】
図13に示す実施形態においては、セクタギヤ(20)及びクローズレバー(21)がクローズ方向に回動している最中に、モータ(３)または電気系統等の故障により、モータ(３)の回転が停止して、セクタギヤ(20)及びクローズレバー(21)がクローズ位置に停止した場合には、キャンセルレバー(23)をキャンセル位置に回動させることにより、セクタギヤ(20)とクローズレバー(21)との接続を解除して、クローズレバー(21)の中立位置への復帰を可能にすると同時に、ロッド(39)及びオープンレバー(25)を介して、ロッキングプレート(７)をオープン位置に移動させて、バックドアを開けることができる。
【００４８】
その他の構造は、先の実施形態と同一であるので、同一の作用をなす部分には、前記実施形態と同一の符号を付して詳細な説明は省略する。
【００４９】
なお、本発明は、上述の実施形態に特定されるものではなく、本発明の技術的範囲を逸脱しなり限り種々の変更は可能である。例えば、カムレバー(13)を廃止して、クローズ部(30)をラッチ(６)に直接係合させて、ラッチ(6)をハーフラッチ位置からフルラッチ位置に回動させるようにしてもよい。
【００５０】
【発明の効果】
本発明によれば、次のような効果を奏することができる。
(ａ) 請求項１記載の発明によると、モータまたは電気系統等の故障により、回動部材が中立位置以外の位置に停止した場合、操作部を操作して、キャンセルレバーを接続位置からキャンセル位置に移動させることによって、クローズレバーの中立位置への復帰を可能するとともに、ラッチ及びロッキングプレートの拘束を解除して、ロック本体を開閉操作することができる。
また、回動部材とクローズレバーとを、ロック本体に設けたベースプレートに同軸をもって枢着できるので、出力機構の小型化、ひいては装置全体の小型化を図ることができる。
【００５２】
(ｂ) 請求項２記載の発明によると、簡単な構成により、回動部材とクローズレバーとの連係を断続でき、確実な作動を得ることができる。
【００５３】
(ｃ) 請求項３記載の発明によると、回動部材及びクローズレバーのクローズ方向への移動中に、モータまたは電気系統等の故障により、ラッチがフルラッチ位置に拘束された場合、キャンセルレバーをキャンセル位置に移動させることにより、ラッチにおける拘束の解除と、ロッキングプレートとラッチとの係合解除を同時に行うことができ、簡単かつ迅速にロック本体を解除操作することができる。
【図面の簡単な説明】
【図１】本発明の一実施形態におけるロック本体及び出力機構の分解斜視図である。
【図２】同じく、出力機構の正面図である。
【図３】同じく、ロック本体及び出力機構の後面図である。
【図４】同じく、クローズレバーが中立位置にあるときの、後面視における出力機構の作動説明図である。
【図５】同じく、クローズレバーがオープン動作しているときの、後面視における出力機構の作動説明図である。
【図６】同じく、オープンレバーがオープン位置にあるときの、後面視における出力機構の作動説明図である。
【図７】同じく、クローズレバーがクローズ位置にあるときの、後面視における出力機構の作動説明図である。
【図８】同じく、キャンセルレバーがキャンセル位置にあるときの、後面視における出力機構の作動説明図である。
【図９】同じく、図３におけるIX−IX線で横断したフルラッチ状態におけるロック本体の平面図である。
【図１０】同じく、図９と同様に横断したハーフラッチ状態におけるロック本体の平面図である。
【図１１】同じく、図９と同様に横断したオープン状態におけるロック本体の平面図である。
【図１２】同じく、図９と同様に横断したロッキングプレートがオープン位置にあるときのロック本体の平面図である。
【図１３】本発明の他の実施形態における出力機構の作動説明図である。
【符号の説明】
(１)ロック本体
(２)出力機構
(３)モータ
(４)ボディ
(５)ストライカ
(６)ラッチ
(6a)(6b)爪部
(７)ロッキングプレート
(7a)係合部
(８)ラッチ軸
(９)ロッキングプレート軸
(10)ベースプレート
(11)カバー部
(12)ベース部
(12a)長孔
(12b)ストッパ
(13)カムレバー(ラッチ)
(13a)係合ピン
(13b)カム部
(14)ハーフラッチ検出スイッチ
(15)フルラッチ検出スイッチ
(16)ボルト
(17)ナット
(18)ギヤ
(19)軸
(20)セクタギヤ（回動部材）
(20a)歯部
(20b)突出部
(20c)長孔
(20d)係合孔
(21)クローズレバー
(22)軸
(23)キャンセルレバー
(24)軸
(25)オープンレバー
(26)中立検出スイッチ
(27)オープン検出スイッチ
(28)アーム部
(28a)切換孔
(29)オープンアーム部
(29a)ピン
(30)クローズ部
(31)断続部材
(32)アーム部
(32a)案内孔
(33)操作部
(34)係合アーム
(35)オープン部
(36)検知アーム部
(37)(38)ばね
(39)連結部材
【図１】
0003840023.tif 000002
【図２】
0003840023.tif 000003
【図３】
0003840023.tif 000004
【図４】
0003840023.tif 000005
【図５】
0003840023.tif 000006
【図６】
0003840023.tif 000007
【図７】
0003840023.tif 000008
【図８】
0003840023.tif 000009
【図９】
0003840023.tif 000010
【図１０】
0003840023.tif 000011
【図１１】
0003840023.tif 000012
【図１２】
0003840023.tif 000013
【図１３】
0003840023.tif 000014